(57)【要約】【課題】太股を効果的にマッサージすることができる椅子式マッサージ機を提供することを課題とする。【解決手段】被施療者１が腰掛ける座部２の一側面に設けられた背凭れ部３と、背凭れ部３に隣接する座部２両側に設けられた肘掛部４と、肘掛部４の内側に設けられ、被施療者１の太腿１９の上側部を押圧する太腿マッサージユニット６とを備える。太腿マッサージユニット６は、肘掛部４の内側に設けられ、座部２側へ回動自在に支持された支持アーム７と、支持アーム７と肘掛部４との間に配置された第１エアバッグ８と、支持アーム７の反肘掛部４側の面に配置された施療指１０とを備える。【選択図】        図１
2005224256.tif 000002
【特許請求の範囲】
【請求項１】
被施療者が腰掛ける座部の一側面に設けられた背凭れ部と、背凭れ部に隣接する座部両側に設けられた肘掛部と、肘掛部の内側に設けられ、被施療者の太腿の上側部を押圧する太腿マッサージユニットとを備えたことを特徴とする椅子式マッサージ機。
【請求項２】
前記太腿マッサージユニットは、肘掛部の内側に設けられ、座部側へ回動自在に支持された支持アームと、支持アームと肘掛部との間に配置された膨張・収縮する第１エアバッグと、支持アームの反肘掛部側の面に配置された施療指とを備えたことを特徴とする請求項１記載の椅子式マッサージ機。
【請求項３】
前記太腿マッサージユニットは、肘掛部の内側に設けられ、座部側へ回動自在に支持された支持アームと、支持アームと各肘掛部との間に配置された膨張・収縮する第１エアバッグと、支持アームの反肘掛部側の面に配置された膨張・収縮する第２エアバッグとを備えたことを特徴とする請求項１記載の椅子式マッサージ機。
【請求項４】
前記第１エアバッグには、手が挿入可能な手マッサージ部が形成されていることを特徴とする請求項２または請求項３記載の椅子式マッサージ機。
【請求項５】
前記手マッサージ部には、手を固定するためのバンドが配置されていることを特徴とする請求項４記載の椅子式マッサージ機。
【請求項６】
前記バンドには、手施療指が配置されていることを特徴とする請求項５記載の椅子式マッサージ機。
【請求項７】
前記第１エアバッグは略Ｖ字状に構成され、前記手マッサージ部は、第１エアバッグのV字の間に形成されていることを特徴とする請求項４記載乃至請求項６の何れか１項に記載の椅子式マッサージ機。
【請求項８】
前記支持アームは、第１エアバッグの膨張に伴い上方へ移動可能に構成されていることを特徴とする請求項７記載の椅子式マッサージ機。
【請求項９】
前記支持アームは、付勢手段により肘掛部側へ付勢されていることを特徴とする請求項２乃至請求項８の何れか１項に記載の椅子式マッサージ機。
【請求項１０】
前記第２エアバッグは、支持アームに対して移動自在に構成されていることを特徴とする請求項３乃至請求項９の何れか１項に記載の椅子式マッサージ機。
【請求項１１】
前記座部には、座部エアバッグが配置されていることを特徴とする請求項１乃至請求項１０の何れか１項に記載の椅子式マッサージ機。
【発明の詳細な説明】
【技術分野】
【０００１】
本発明は、椅子式マッサージ機に関するものであり、具体的には、被施療者の太腿の上側をマッサージすることができる椅子式マッサージ機に関する。
【背景技術】
【０００２】
この種の椅子式マッサージ機として、被施療者が腰掛ける椅子の肩、背中、腰、太股、ふくらはぎが当接する部分に空気の供給・排気により膨張・収縮を繰り返すエアバッグ等のマッサージ手段を備え、マッサージ手段によりこれらの部分をマッサージすることができる椅子式マッサージ機が知られている（例えば、特許文献１参照）。
【特許文献１】特許第３１２１７２７号
【発明の開示】
【発明が解決しようとする課題】
【０００３】
太股はその上側に多数のつぼが存在しているため、これらを刺激することにより太腿のマッサージ効果を高めることができる。しかしながら、従来の椅子式マッサージ機は、太腿の下側のみのマッサージで太腿の上側をマッサージすることができないため、太股を効果的にマッサージすることができなかった。
【０００４】
本発明はこのような課題を解決するためになされたものであり、太股を効果的にマッサージすることができる椅子式マッサージ機を提供することを課題とする。
【課題を解決するための手段】
【０００５】
上記課題を解決するための第１の手段は、被施療者が腰掛ける座部の一側面に設けられた背凭れ部と、背凭れ部に隣接する座部両側に設けられた肘掛部と、肘掛部の内側に設けられ、被施療者の太腿の上側部を押圧する太腿マッサージユニットとを備えたことを特徴とする。
【０００６】
上記課題を解決するための第１の手段において、前記太腿マッサージユニットは、肘掛部の内側に設けられ、座部側へ回動自在に支持された支持アームと、支持アームと肘掛部との間に配置された膨張・収縮する第１エアバッグと、支持アームの反肘掛部側の面に配置された施療指とを備えてもよい。
【０００７】
上記課題を解決するための第１の手段において、前記太腿マッサージユニットは、肘掛部の内側に設けられ、座部側へ回動自在に支持された支持アームと、支持アームと各肘掛部との間に配置された膨張・収縮する第１エアバッグと、支持アームの反肘掛部側の面に配置された膨張・収縮する第２エアバッグとを備えてもよい。
【０００８】
また、前記第１エアバッグには、手が挿入可能な手マッサージ部が形成されてもよい。
【０００９】
また、前記手マッサージ部には、手を固定するためのバンドが配置されてもよい。
【００１０】
また、前記バンドには、手施療指が配置されてもよい。
【００１１】
また、前記第１エアバッグは略Ｖ字状に構成され、前記手マッサージ部は、第１エアバッグのV字の間に形成されてもよい。
【００１２】
また、前記支持アームは、第１エアバッグの膨張に伴い上方へ移動可能に構成されても
よい。
【００１３】
また、前記支持アームは、付勢手段により肘掛部側へ付勢されてもよい。
【００１４】
また、前記第２エアバッグは、支持アームに対して移動自在に構成されてもよい。
【００１５】
また、前記座部には、座部エアバッグが配置されてもよい。
【発明の効果】
【００１６】
本発明の請求項１の構成によれば、太腿マッサージユニットにより太腿の上側を刺激することができるため、太腿のマッサージ効果を向上させることができる等の効果を奏する。
【００１７】
本発明の請求項２の構成によれば、施療指により太腿の上側を刺激することができるため、太腿のマッサージ効果を向上させることができる等の効果を奏する。
【００１８】
本発明の請求項３の構成によれば、第２エアバッグの膨張・収縮により太腿の上側を緩急をつけて刺激することができるため、太腿のマッサージ効果を向上させることができる等の効果を奏する。
【００１９】
本発明の請求項４の構成によれば、太腿と同時に手もマッサージすることができる等の効果を奏する。
【００２０】
本発明の請求項５の構成によれば、バンドにより手マッサージ部に手を固定することができる等の効果を奏する。
【００２１】
本発明の請求項６の構成によれば、手施療指により手のつぼを刺激することができ、手を効率よくマッサージすることができる等の効果を奏する。
【００２２】
本発明の請求項７の構成によれば、第１エアバッグは略Ｖ字状に構成されているため、手マッサージ部を容易に形成することができると共に、支持アームを座部側へ回動させ易くすることができる。
【００２３】
本発明の請求項８の構成によれば、太腿のより上側を刺激することができるため、太腿のマッサージ効果をさらに向上させることができる等の効果を奏する。
【００２４】
本発明の請求項９の構成によれば、支持アームを付勢手段により肘掛部側へ収納することができるため、被施療者が座部に腰掛ける際や立ち上がる際に支持アームが邪魔になることを防止することができる等の効果を奏する。
【００２５】
本発明の請求項１０の構成によれば、第２エアバッグの位置を調整することができるため、被施療者の体形に応じた太腿の最適なマッサージを行うことができる等の効果を奏する。
【００２６】
本発明の請求項１１の構成によれば、太腿を上側と下側の両方から挟んだ状態でマッサージすることができるため、より効率のよいマッサージを行うことができる等の効果を奏する。
【発明を実施するための最良の形態】
【００２７】
（第１実施形態）
本発明を実施するための第１実施形態の椅子式マッサージ機を図１乃至図４に基づいて以下に詳述する。本発明の椅子式マッサージ機は、被施療者１が腰掛ける座部２と、座部２の一側に連結された背凭れ部３と、背凭れ部３に隣接する座部２の両側に設けられた肘掛部４と、座部２の他側に連結され、ふくらはぎを収納する一対の樋状凹部５ａを有する脚保持部５と、肘掛部４の内側に座部２側へ回動自在に支持された一対の太腿マッサージユニット６とから構成されている（図１参照）。
【００２８】
太腿マッサージユニット６は、肘掛部４の内側に設けられ、座部２側へ回動自在に支持された一対の支持アーム７と、支持アーム７と肘掛部４との間に配置された第１エアバッグ８と、第１エアバッグ８に空気を供給する第１空気供給路９と、支持アーム７の反肘掛部側の面に配置された施療指１０とから構成されている（図１及び図２参照）。
【００２９】
支持アーム７は、肘掛部４に固定されたベース部１１に支持軸１２を回動中心にして回動自在に支持されていると共に、バネ１３により肘掛部４側へ付勢されている。第１エアバッグ８は、支持アーム７の支持軸１２側が連通する略Ｖ字状に形成されている。図２に示すように第１エアバッグ８のＶ字状の連通部分が支持軸１２の下側をくぐっている。第１エアバッグ８のＶ字の間には、被施療者１の手１４（図では手指を表している）が挿入可能な手マッサージ部１５が形成されている。手マッサージ部１５には、手１４を固定するための伸縮自在なバンド１６が配置されている。バンド１６には手１４のつぼを刺激する手施療指１７が配置されている。太腿マッサージユニット６に略対応する位置の座部２には、一対の座部エアバッグ１８が配置されている（図１乃至図２参照）。
【００３０】
このように構成された第１実施形態の椅子式マッサージ機は、被施療者が座部２に座って太腿マッサージユニット６を作動させると、第１空気供給路９を介して第１エアバッグ８に空気が供給される。第１エアバッグ８に空気が供給されると、図２に示すように第１エアバッグ８は膨らむと共に、バネ１３の付勢力に抗して支持アーム７を、支持軸１２を回動中心として座部２側へ回動させる。
【００３１】
支持アーム７の反肘掛部４側の面には施療指１０が配置されているため、支持アーム７が座部２側へ回動することにより図２に示すように施療指１０は被施療者１の太腿１９の上側部に当接する。この状態で第１エアバッグ８の膨張と収縮を繰り返すことにより、太腿１９の上側に存在する多数のつぼを施療指１０により刺激することができるため、太腿１９のマッサージ効果を向上させることができる。
【００３２】
また、この時、被施療者１は、第１エアバッグ８の手マッサージ部１５のバンド１６に手１４を入れると手１４が固定され、手の両面が第１エアバッグ８により圧迫されたり圧迫が開放されたりして、太腿１９と同時に手１４もマッサージすることができる。この際、手１４は手施療指１７により手のつぼが刺激されて効率よくマッサージすることができると共に、手１４の小指側がＶ字状の第１エアバッグ８の根元側になるため、小指側を重点的にマッサージすることができる。さらに、この時、太腿１９の下方に位置する座部エアバッグ１８に空気を供給して膨張させることにより、太腿１９を上側と下側の両方から挟んだ状態でマッサージすることができるため、より効率のよいマッサージを行うことができる。
【００３３】
第１エアバッグ８は略Ｖ字状に構成しているため、手マッサージ部１５を容易に形成することができると共に、支持アーム７を座部２側へ回動させ易くすることができる。
【００３４】
太腿マッサージユニット６の使用が終了すると、第１エアバッグ８を収縮させる。そうすると図４に示すように支持アーム７はバネ１３の付勢力により肘掛部４近傍まで回動するため、被施療者１が座部２に腰掛ける際や立ち上がる際に、太腿マッサージユニット６
が邪魔になることはない。
【００３５】
尚、第１実施形態では、第１エアバッグ８の膨張・収縮により太腿マッサージユニット６を駆動させたが、この構成に限定されるものではない。モータ等の駆動手段により太腿マッサージユニット６を駆動させる構成にしてもよい。
【００３６】
また、第１実施形態では、椅子式マッサージ機のマッサージユニットとして太腿マッサージユニット６のみを採用した構成について詳述したが、この構成に限定されるものではない。必要に応じて背凭れ部３や脚保持部５に背中や脚をマッサージするマッサージユニットを採用した構成にしてもよい。
【００３７】
（第２実施形態）
図５及び図６は本発明を実施するための第２実施形態の椅子式マッサージ機を示している。尚、第１実施形態と同一部品については同一符号を付して説明を省略する。
【００３８】
第２実施形態の太腿マッサージユニット６ａは、支持アーム７の支持軸１２がベース部１１の略上下方向に形成された摺動孔２０に摺動自在且つ回動自在に支持されている。また、肘掛部４と反対側の支持アーム７の面には第２エアバッグ２１が配置されている。第２エアバッグ２１には第２空気供給路２２を介して空気が供給される（図５参照）。
【００３９】
このように構成された第２実施形態の椅子式マッサージ機は、被施療者が座部２に座って太腿マッサージユニット６ａを作動させると、第１実施形態と同様に第１エアバッグ８は膨らむと共に、バネ１３の付勢力に抗して支持アーム７を、支持軸１２を回動中心として座部２側へ回動させる。そして、第２エアバッグ２１を膨らませることにより第２エアバッグ２１が被施療者１の太腿１９の上側部に当接し、第２エアバッグ２１の膨張と収縮を繰り返すことにより太腿１９の上側の緩急のあるマッサージを効率よく行うことができる。太腿１９の上側の緩急のあるマッサージの他の方法としては、第２エアバッグ２１を膨張させたまま第１エアバッグ８を膨張・収縮させる方法や、第１エアバッグ８と第２エアバッグ２１を同時に膨張・収縮させたり、そのタイミングをずらしたりする方法がある。
【００４０】
また、第１エアバッグ８を膨らませた時、支持アーム７は摺動孔２０に沿って上方へ摺動するため、太腿１９のより上側からマッサージすることができ、マッサージ効果を向上させることができる。さらに、第１エアバッグを収納する時には図６に示すように支持アーム７は摺動孔２０に沿って下方へ且つ肘掛部４側へ摺動するため、太腿マッサージユニット６の収納性を向上させることができる。
【００４１】
（第３実施形態）
図７は本発明を実施するための第３実施形態の椅子式マッサージ機を示している。尚、第１実施形態及び第２実施形態と同一部品については同一符号を付して説明を省略する。
【００４２】
第３実施形態の太腿マッサージユニット６ｂは、第１エアバッグ８が支持アーム７の支持軸１２側を開放したＶ字状に形成されている。第１エアバッグ８の肘掛部４側の下部はネジ２４で肘掛部４に固定されている。
【００４３】
このように構成された第３実施形態の椅子式マッサージ機は、被施療者が座部２に座って太腿マッサージユニット６ｂを作動させると、第２実施形態と同様に被施療者１の太腿を第２エアバッグ２１でマッサージする。また、手１４のマッサージに関しては、親指側がＶ字状の第１エアバッグ８の根元側になるため、親指側を重点的にマッサージすることができる。
【００４４】
（第４実施形態）
図８乃至図１１は本発明を実施するための第４実施形態の椅子式マッサージ機を示している。尚、第１実施形態乃至第３実施形態と同一部品については同一符号を付して説明を省略する。
【００４５】
第４実施形態の太腿マッサージユニット６ｃは、第２エアバッグ２１が支持アーム７に対して移動自在な構成になっている。支持アーム７には略上下方向に移動孔２３が形成されている。第２エアバッグ２１は支持アーム７の移動孔２３を介して第２空気供給路２２と連結されている。従って、第２エアバッグ２１は支持アーム７に対して移動孔２３内を移動自在になっている（図９、図１１参照）。
【００４６】
このように構成された第４実施形態の椅子式マッサージ機は、被施療者が座部２に座って太腿マッサージユニット６ｃを作動させると、第２実施形態及び第３実施形態と同様に被施療者１の太腿を第２エアバッグ２１でマッサージする。しかしながら、小柄な人の場合、第２エアバッグ２１が被施療者の太腿に充分に当接せずにマッサージ効果が減少してしまう虞がある。これに対して、太腿マッサージユニット６ｃは、第２エアバッグ２１が支持アーム７に対して移動自在になっているため、被施療者１の体形に応じて第２エアバッグ２１の位置が調整できるようになっている。この結果、被施療者１の体形に応じた太腿１９の最適なマッサージを行うことができる。
【図面の簡単な説明】
【００４７】
【図１】本発明を実施するための第１実施形態の椅子式マッサージ機の正面図である。
【図２】同椅子式マッサージ機の太腿マッサージユニットの拡大図である。
【図３】同椅子式マッサージ機で手をマッサージする状態を示す側面図である。
【図４】同椅子式マッサージ機の太腿マッサージユニットを収納した状態を示す正面図である。
【図５】本発明を実施するための第２実施形態の椅子式マッサージ機の太腿マッサージユニットの拡大図である。
【図６】同椅子式マッサージ機の太腿マッサージユニットを収納した状態を示す正面図である。
【図７】本発明を実施するための第３実施形態の椅子式マッサージ機の太腿マッサージユニットの拡大図である。
【図８】本発明を実施するための第４実施形態の椅子式マッサージ機の太腿マッサージユニットの拡大図である。
【図９】図８における支持アームと第２エアバッグとの関係を示す側面図である。
【図１０】同椅子式マッサージ機の太腿マッサージユニットの拡大図で、第２エアバッグを移動させた状態を示す。
【図１１】図１０における支持アームと第２エアバッグとの関係を示す側面図である。
【符号の説明】
【００４８】
１    被施療者
２    座部
３    背凭れ部
４    肘掛部
７    支持アーム
６    太腿マッサージユニット
８    第１エアバッグ
１０  施療指
１３  バネ
１５  手マッサージ部
１６  バンド
１７  手施療指
１８  座部エアバッグ
１９  太腿
２１  第２エアバッグ
【図１】
2005224256.tif 000003
【図２】
2005224256.tif 000004
【図３】
2005224256.tif 000005
【図４】
2005224256.tif 000006
【図５】
2005224256.tif 000007
【図６】
2005224256.tif 000008
【図７】
2005224256.tif 000009
【図８】
2005224256.tif 000010
【図９】
2005224256.tif 000011
【図１０】
2005224256.tif 000012
【図１１】
2005224256.tif 000013